(57)【要約】      （修正有）【課題】穀物を収納したバッグの保管・収納において、耐震安全性に優れ、かつ運搬効率の高いフレコンバッグを提供する。【解決手段】上端に筒状投入口を逢着している開口胴部２と、胴部２の下端に排出口５を設けた四角形状底部３とを有し、底と胴回りにクロスタイプの樹脂系フラットヤーンの織布材により形成された筒形状のバッグ本体と、胴部２の上端に縫着され、充填物を胴部２に投入するための樹脂系フラットヤーンの織布シートの筒状の投入部４と、胴部２の筒状部の下面に縫着された四角形状底部３と、バッグ本体の四隅部にそれぞれの端部が連結され、かつ２本１組、２組の隣接するものの上端部が連結された４本の吊りベルト８とを備えた。バッグ本体内に配置され、バッグ本体内の角部１０を挟む一対の樹脂系フラットヤーンの織布シート材を互いに連結してバッグ本体を充填時に四角形状に保形する保形用シート体が胴部２に縫着されている。【選択図】図１
0003220194.tif 000002
【実用新案登録請求の範囲】
【請求項１】
上端に筒状投入口を逢着している開口胴部と、該胴部の下端に排出口を設けた四角形状底部とを有し、底と胴回りにクロスタイプの樹脂系フラットヤーンの織布材により形成された筒形状のバッグ本体と、
前記胴部の上端に縫着され、充填物を前記胴部に投入するための樹脂系フラットヤーンの織布シートの筒状の投入部と、前記胴部の筒状部の下面に縫着された四角形状底部と、バッグ本体の四隅部にそれぞれの端部が連結され、かつ２本１組、２組の隣接するものの上端部が連結された４本の吊りベルトとを備えた角筒状フレコンバッグにおいて、
前記コンテナ本体内に配置され、このコンテナ本体内の角部を挟む一対の樹脂系フラットヤーンの織布シート材を互いに連結して上記コンテナ本体を充填時に四角形状に保形する保形用ベルト及び保形用シート体を胴部の４箇所に縫着され、前記四角形状底部の四隅に当たる胴体最上部の４箇所に補助フックを縫着して、前記補助フック取り付け箇所を充填時に立方体の四隅箇所になるようにしており、充填時吊り上げの強度と安定性を向上させるために、前記胴体内部に縫着された保形用ベルト及び保形用シート体での外面縫着ミシン線と補助フック取り付け箇所との中間位置の外表面に、前記４本の吊りベルトを胴体の長さの６〜９割位置までそれぞれ縫着して取り付けていることを特徴とする耐震と積載とに安全なフレコンバッグ。
【請求項２】
コンテナ本体の底部の四隅と補助フック取り付け箇所の線上を中心にして胴体内部に保形用シート体を取り付け、前記保形用シート体は各中心線から内部面の胴体幅の１／３の位置で各４箇所の胴体に全体的に縫着されて、前記コンテナ胴体の樹脂フラットヤーンの織布材と協調した保形的補助材として、前記保形用シート体には内部に１００〜３００ｍｍ幅の楕円形状穴部を３〜５箇所設けて、２０〜４０％開いているポリオレフィン系フラットヤーンの織布シート材であり、前記胴体シート材に互いに縫着されていることを特徴とする請求項１に記載の耐震と積載とに安全なフレコンバッグ。
【請求項３】
前記バッグ胴体体は、厚さ３０〜５０ミクロンのクロスタイプのポリプロピレン製フラットヤーンの織布材布体であって、前記底部が９００〜１２００ｍｍの四角形状のもので、充填時に胴体の一辺の９００〜１２００ｍｍの擬似正方体形状になるようにしてであって、各４箇所の胴体に全体的に縫着されている保形用シート体は、厚さ３０〜４０ミクロンで幅５００〜６００ｍｍ、長さ８００〜１０００ｍｍのポリプロピレン系フラットヤーンの織布シートであり、胴体上部の開口部にある投入部では、厚さ２０〜３０ミクロンのポリプロピレン系フラットヤーンの織布シートの全開式筒状の投入シートの取り付けと、内容物の充填を簡易にするために、四角形状の形成をし易くするために、前記バッグ胴体体の内壁４隅の上部縁に保形用ベルトを縫い付けて、目的の充填物を注入できるようにして封印できるような開口部になっていることを特徴とする請求項１、又は請求項２に記載の耐震と積載とに安全なフレコンバッグフレコンバッグ。
【考案の詳細な説明】
【技術分野】
【０００１】  この考案はフレコンバッグ、詳しくは穀物などを保管・収納及び運搬において、優れた機能性を発揮するフレコンバッグに関する。
【背景技術】
【０００２】  従来のフレコンバッグとして、「フレキシブルコンテナ」が知られている。「フレキシブルコンテナ」は、筒状の胴部の下端開口が底部により塞がれたバッグ本体と、胴部の開口する上端に連通された筒状の投入部と、底部の下面の中央部に、その全域にわたって縫着（以下、全周縫着）された正方形の補強生地枠（補強布枠）と、補強生地枠の四隅部に下端部が縫着され、かつ隣接するものの上端部が一体的に連結された４本（実質２本）の吊りベルトとを備えた４点２吊り部方式のものである（特許文献１参照）。【０００３】筒形状のコンテナ本体と、コンテナ本体内に配置されて、コンテナ本体をその形状に保形する保形用ネットとを備えたフレキシブルコンテナにおいて、コンテナ本体への保形用ネットの端部の連結部の一部に応力集中が生じることを防止して、フレキシブルコンテナの寿命を向上させることを提案されている（特許文献２参照）。【０００４】充填物の偏荷重を原因とした吊りベルトの破断を防止可能なフレコンバッグを提供するために、上端が開口する胴部と、胴部の下端を塞ぐ底部とを有したバッグ本体と、胴部の上端に縫着され、充填物を胴部に投入する筒状の投入部と、底部の下面に、下面の中心点と対角線の交点とを一致させて縫着された正方形の補強布枠と、補強布枠の四隅部に下端部が連結され、２組の隣接するものの上端部が連結された４本の吊りベルトとを備える製品が提案されている（特許文献３参照）。【０００５】内容物を充填した状態での全体形状をできるだけ四角柱状に保ち、運搬や保管する際に空間を効率的に使用することのできるフレキシブルコンテナを提供するために、フレキシブルコンテナをコンテナ本体と吊りベルトで構成する。コンテナ本体は、底壁と側壁とを有する四角柱状に形成し、吊りベルトは、側壁の中心よりも向かって左側の領域で側壁の外面に沿って略鉛直方向に配された左側吊りベルトと、側壁の中心よりも向かって右側の領域で側壁の外面に沿って略鉛直方向に配された右側吊りベルトとで構成することが提案されている（特許文献４参照）。【０００６】使用時に自立可能であるとともに、折畳み容易なコンテナバッグを提供することを目的として、矩形状の４つの側壁部を備えて展開時に矩形箱形状をなすバッグ本体部を有し、３つの側壁部に、それぞれ、弾性を有する２本の棒部材が、円弧状に曲折された状態で、隣接する側壁部に及ぶことなく配設され、一方の棒部材は、一端部が側壁部の右上隅部に取着され、他端部が側壁部の右下隅部に取着されて、長さ方向の中央部が側壁部の中央部付近に配置されているものが提案されている（特許文献５参照）。【０００７】  上記フレコンバッグを用いて粉粒状製品を搬送する場合には、まず、このフレコンバッグを上記掛吊具により何らかの吊り具に掛吊し、この掛吊されたフレコンバッグ内に製品を投入して収容させ、次に、このフレコンバッグを車両や搬送装置を用いて所望位置にまで搬送することとされる。なお、この後は、上記フレコンバッグから製品が排出されて、種々の目的に供される。
【先行技術文献】
【特許文献】
【０００８】
【特許文献１】特開２００９−１４３５８３号公報
【特許文献２】特開２０１１−４２３９１号公報
【特許文献３】実用新案登録第３１７９１６１号公報
【特許文献４】特開２００９−２７４７２８号公報
【特許文献５】実用新案登録第３１２２３６５号公報
【考案の概要】
【考案が解決しようとする課題】
【０００９】上記したようにフレキシブルコンテナ（フレコンバッグ）内に製品を収容すると、この製品からの圧力により、上記コンテナ本体は、その平面視の断面が円形に変形しようとする。しかし、このようにコンテナ本体が変形しようとすることは、上記保形用シートに生じる引張力により抑制される。つまり、上記コンテナ本体は断面角筒形状を保つよう上記保形用シートにより保形される。このように、コンテナ本体が所定形状に保形されることからフレコンバッグの集積が整然と、かつ安定してできるなど搬送時においても、隙間を最小限に抑えることで、運搬効率を高めることができる。【００１０】  また、上記したようにフレコンバッグ内に製品を投入し、もしくは、このフレコンバッグ内から製品を排出させるとき、上記角部と保形用ネットとの間の空間と、上記コンテナ本体内の中央部側との間で、上記保形用シートを通して上記製品が円滑に流動させられる。このため、上記フレコンバッグへの製品の投入や、このフレコンバッグからの製品の排出は、上記保形用シートに邪魔されることなく、円滑にできることとされる。【００１１】  しかしながら、「フレキシブルコンテナバッグ（フレコンバッグ）」は、このように４点２吊り部方式のもので、４本の吊りベルトは、それぞれの下端部が、バッグ本体の底部の下面に全体が縫着された補強生地枠の四隅部に縫着されていた。また、充填されたバッグ本体を重機により吊り上げた際、バッグ本体に発生した偏荷重を原因として、幾本かの吊りベルトに許容限度を超える過負荷が作用し、吊りベルトおよびこの吊りベルトとバッグ本体との縫着部の破断が発生していた。その結果、「フレコンバッグ」の最大充填質量を大きく設定することができなかった。【００１２】上記従来の技術では、保形用シートの端部を構成する網紐が縫合により上記シート材に連結されている。このため、前記したように保形用シートに生じる引張力により上記コンテナ本体を保形する場合、上記シート材に対する保形用シートの端部の連結部の一部である縫合部位に、上記引張力に基づく応力集中が生じがちとなる。よって、このフレコンバッグの繰り返し使用により、上記縫合部位が早期に破損するおそれが生じ、つまり、このフレコンバッグに寿命上の問題点が生じるおそれがある。また多重積載において保管、運搬する際に好適な耐震安全性に優れた多重積載容易なフレキシブルコンテナ（以下、フレコンバッグ）が要望されている。
【課題を解決するための手段】
【００１３】  上端に筒状投入口を逢着している開口胴部と、該胴部の下端に排出口を設けた正方形状底部とを有し、底と胴回りにクロスタイプの樹脂系フラットヤーンの織布材により形成された筒形状のバッグ本体と
前記胴部の上端に縫着され、充填物を前記胴部に投入するための樹脂系フラットヤーンの織布シートの筒状の投入部と、前記胴部の筒状部の下面に縫着された正方形の底部と、バッグ本体の四隅部にそれぞれの端部が連結され、かつ２本１組、２組の隣接するものの上端部が連結された４本の吊りベルトとを備えた角筒状フレコンバッグにおいて、
前記コンテナ本体内に配置され、このコンテナ本体内の角部を挟む一対の樹脂系フラットヤーンの織布シート材を互いに連結して上記コンテナ本体を充填時に四角形状に保形する保形用シート体を胴部に縫着され、
前記正方形状底部の四隅に当たる胴体最上部の４箇所に補助フックを縫着して、前記補助フック取り付け箇所を充填時に立方体の四隅箇所になるようにしており、充填時吊り上げの強度と安定性を向上させるために、前記胴体内部に縫着された保形用シート体での外面縫着ミシン線と補助フック取り付け箇所との中間位置の外表面に、前記４本の吊りベルトを胴体の長さの６〜９割位置までそれぞれ縫着して取り付けている耐震と積載とに安全なフレコンバッグである。【００１４】コンテナ本体の底部の四隅と補助フック取り付け箇所の線上を中心にして胴体内部に保形用シート体を取り付け、前記保形用シート体は各中心線から内部面の胴体幅の１／３の位置で各４箇所の胴体に全体的に縫着されて、前記コンテナ胴体の樹脂フラットヤーンの織布材と協調した保形的補助材として、前記保形用シート体には内部に１００〜３００ｍｍ幅の楕円形状穴部を３〜５箇所設けて、２０〜４０％開いているポリオレフィン系フラットヤーンの織布シート材であり、前記胴体シート材に互いに縫着されている。【００１５】前記４本の吊りベルトは、幅６０〜８０ｍｍ、厚さ０．５〜１ｍｍのオレフィン系編布帯体４本であり、前記編布帯体の１本が２箇所で連結して前記胴体の８箇所に１本当たり２〜３線状に縫着されており、前記胴体内部に０．１〜１ｍｍの太さの糸で縫着された保形用シート体での外面縫着ミシン線と幅２０ｍｍ、長さ７０〜９０ｍｍの補助フック取り付け箇所との中間位置である隅から１５０〜１８０ｍｍの外表面に、胴体の長さの６０〜９０％位置までそれぞれ取り付けて、４本の布帯体が吊り上げ、搬送するときに２箇所で連結できるようになっている。【００１６】  前記バッグ胴体体は、厚さ３０〜５０ミクロンのクロスタイプのポリプロピレン製フラットヤーンの織布材布体であって、前記底部が９００〜１２００ｍｍの四角形状のもので、充填時に胴体の一辺の９００〜１２００ｍｍの擬似正方体形状になるようにしてであって、各４箇所の胴体に全体的に縫着されている保形用シート体は、厚さ３０〜４０ミクロンで幅５００〜６００ｍｍ、長さ８００〜１０００ｍｍのポリプロピレン系フラットヤーンの織布シートであり、胴体上部の開口部にある投入部では、厚さ２０〜３０ミクロンのポリプロピレン系フラットヤーンの織布シートの全開式筒状の投入シートを取り付けて、目的の充填物を注入できるようにし、封印できるような開口部になっている。また胴体上部の開口部内壁の上部縁に保形用ベルトを縫い付けて、これを４隅に装着することで、充填のしやすさと、四角形の形成しやすさを大きく補助する。【００１７】  補強部は、各種の化学繊維などからなる織布を、所定幅の正方枠状（正方形の枠状）に裁断したものである。
ここでいう「補強布枠が、四隅部を残して底部の下面に縫着される」とは、補強布枠の各辺部のうち、両端部を除く部分（長さ方向の中間部分）のみが、底部の下面に縫着されることを意味する。すなわち、補強布枠の四隅部は底部に縫着されておらず、これらの部分は湾曲自在な４本の短尺な吊り紐部を構成している。【００１８】吊りベルトとしては、例えば、各種の化学繊維からなる厚地の織布を採用することができる。「２本１組、２組の隣接するものの上端部がそれぞれ連結された４本の吊りベルト」とは、具体的には、隣接する各組（１組２本）の吊りベルトの上端部を連結することで構成される、逆Ｕ字形状に湾曲した２本の長尺な吊りベルトをいう。隣接する吊りベルトの上端部同士は、例えばロープなどの連結部材を介して連結しても、隣接する吊りベルトの上端部同士を直接（一体的に）連結してもよい。【００１９】  ４本の吊りベルトの下端部は、補強布枠の底部に未縫着となった四隅部のうち、対応する隅部にそれぞれ巻き掛けた後、底部の下面の外周部分のうち、補強布枠の対応する隅部の付近にそれぞれ縫着される。したがって、各吊りベルトの下端部と補強布枠の対応する隅部との連結は、従来の縫着による固定ではなく、補強布枠の未縫着状態となった隅部の可動範囲の分だけの自由度を残す連結となる。
【考案の効果】
【００２０】  上記従来の技術では、シート材と保形用シートとの間において、縫合部位以外の部分には隙間が生じがちであるため、フレコンバッグ内に収容された内容物が、充填時にうまく入り込むことができずに、いびつになるおそれがある。しかし、上記考案によれば、シート材と保形用シートとは、上記連結シートとの接着により全体的に面接合させることができるため、上記シート材に対する保形用シートの連結部に上記のような隙間はほとんど生じる余地が無く、よって、上記した内容物の偏りを未然に防止される。【００２１】上記保形用シートの中途部における粗い穴目を通すことにより、上記角部と保形用ネットとの間の空間と、上記コンテナ本体内の中央部側との間で、上記内容物を円滑に流動させることができ、よって、上記フレコンバッグへの製品の投入や、このフレコンバッグからの製品の排出が円滑にできる。そして、その一方、上記した保形用シートの端部における穴目によって、上記シート材に対する上記保形用シートの連結強度が更に確実に向上し、穀物などを保管・収納及び運搬において、優れた機能性を発揮する。さらに、保形用シートの上部に帯状ベルトを装着することにより、従来の保形用シートのみの仕様と比較して、内容物が満杯に近づいた時に、シートに引張力が生じ、保形が困難な全開式の投入口であっても、より保形を保つとともに、充填効率を高めることができる。【００２２】上記フレコンバッグ内への製品の投入、収容により、上記保形用ベルト及び保形用シートに引張力が生じて、充填後にも形状的に四角形を維持して、充填にフレコンバッグの何重にも積載できて、安全に隙間なく保管が可能になる。充填後にも形状的に四角形を維持することで、安定した段積みができ、しかも隙間がほとんど埋まるため、安全性を維持しながら効率的な保管が可能になる。
【図面の簡単な説明】
【００２３】
【図１】耐震と積載とに安全なフレコンバッグの使用前の状態の斜視図である。
【図２】耐震と積載とに安全なフレコンバッグ内部に取り付けた保形用ベルト、および保形用シート体の平面図である。
【図３】耐震と積載とに安全なフレコンバッグの外面に取り付けた吊りベルトの状態とミシン目の状態と内部に取り付けた保形用シート体の姿図を示した詳細姿図である。
【図４】フレコンバッグの穀物充填状態の使用状態を示す斜視図である。
【図５】フレコンバッグの穀物充填状態で何重にも積載させた状態を示す斜視図である。
【考案を実施するための形態】
【００２４】  以下、この考案の実施例を具体的に説明する。ここでは、穀物類を充填したフレコンを輸送、又は保管するフレコンバッグの状態状況を例とする。
【実施例１】
【００２５】  上端が開口する胴部と、該胴部の下端を塞ぐ底部とを有し、軸心回りに並設される複数枚の平坦状シート材を互いに結合させることにより形成された角筒形状のバッグ本体と、前記胴部の上端に縫着され、充填物を前記胴部に投入するための筒状の投入部と、前記底部の下面に、該底部の下面の中心点に対角線の交点を一致させて縫着された正方形の補強布枠と、該補強布枠の四隅部にそれぞれの下端部が連結され、かつ２本１組、２組の隣接するものの上端部が連結された４本の吊りベルトとを備えた角状フレコンバッグにおいて、前記コンテナ本体内に配置され、このコンテナ本体内の角部を挟む一対のシート材を互いに連結して上記コンテナ本体を充填時に四角形状に保形する保形用シート体を四隅部に縫着され、前記四隅部に保形用シート体を縫着した側筒部で隅と縫着箇所との中間位置の外表面に、前記４本の吊りベルトを縫着・取り付けて、補強対応の隅部にしている多重積載容易なフレコンバッグであった。【００２６】コンテナ本体の四角側面内部に前記保形用シート体を各端部から側面幅の１／３の位置に縫着されて、前記コンテナ胴体シート材と協同して挟む連結的シートにして、前記保形用シート体は、布状で内部に１００ｍｍ幅以上の穴を４０〜６０％開いているポリエチレンシートであり、前記胴体シート材に互いに縫着されて、前記補強部は、コンテナ本体の四隅部該補強布枠の幅方向に折り曲げられ、前記４本の吊りベルトの下端部は、前記補強布枠の幅方向の折り曲げ状態を保持して、前記底部の下面に縫着された。上記コンテナ本体を充填時に四角形状に保形する保形用ベルトも取り付けた。【００２７】  前記バッグ本体は、ポリプロピレン製であって、前記底部が四角形状のもので、前記底部の一辺の５５０ｍｍの四角正方形状であって、上部の開口部には、筒状ポリエチレンシートを筒状バッグ本体の上部周囲に取り付けて、目的の充填物を注入できるようにし、封印できるような開口部にした。これを吊り上げ、倉庫に積み上げた。吊り上げ、及び積み上げたところ、積載は安全で、地震に対しても問題が少なくなった。
【実施例２】
【００２８】  上端が開口する胴部と、該胴部の下端を塞ぐ底部とを有し、軸心回りに並設される複数枚の平坦状シート材を互いに結合させることにより形成された角筒形状のバッグ本体と、
前記胴部の上端に縫着され、充填物を前記胴部に投入するための筒状の投入部と、前記底部の下面に、該底部の下面の中心点に対角線の交点を一致させて縫着された正方形の補強布枠と、該補強布枠の四隅部にそれぞれの下端部が連結され、かつ２本１組、２組の隣接するものの上端部が連結された４本の吊りベルトとを備えた角状フレコンバッグにおいて、
前記コンテナ本体内に配置され、このコンテナ本体内の角部を挟む一対のシート材を互いに連結して上記コンテナ本体を充填時に四角形状に保形する保形用シート体を四隅部に縫着され、
前記四隅部に保形用シート体を縫着した側筒部で隅と縫着箇所との中間位置の外表面に、前記４本の吊りベルトを縫着・取り付けて、補強対応の隅部にしている多重積載容易なフレコンバッグであった。【００２９】コンテナ本体の四角側面内部に前記保形用シート体を各端部から側面幅の１／３の位置に縫着されて、前記コンテナ胴体シート材と協同して挟む連結的シートにして、前記保形用シート体は、布状で内部に１００ｍｍ幅以上の穴を４０〜６０％開いているポリエチレンシートであり、前記胴体シート材に互いに縫着されて、前記補強部は、コンテナ本体の四隅部該補強布枠の幅方向に折り曲げられ、前記４本の吊りベルトの下端部は、前記補強布枠の幅方向の折り曲げ状態を保持して、前記底部の下面に縫着された。【００３０】  前記バッグ本体は、ポリプロピレン製であって、前記底部が四角形状のもので、前記底部の一辺の５００ｍｍの四角正方形状であって、上部の開口部には、筒状ポリエチレンシートを筒状バッグ本体の上部周囲に取り付けて、目的の充填物を注入できるようにし、封印できるような開口部になり、これを吊り上げ、倉庫に積み上げた。吊り上げ、及び積み上げ積載は安全で、地震に対しても問題が少なくなった。
【符号の説明】
【００３１】１  フレコンバッグ
２  胴部
３  底部
４  投入部（投入口）
５  排出部（排出口）
６  補強フック
７  ミシン目
８  吊りベルト
９  横掛けベルト
１０  角部
１１  保形用シート
１２  保形用ベルト
【図１】
0003220194.tif 000003
【図２】
0003220194.tif 000004
【図３】
0003220194.tif 000005
【図４】
0003220194.tif 000006
【図５】
0003220194.tif 000007